(57)【要約】      （修正有）【課題】合成樹脂製のマクラギを穿孔する際に発生する超硬ウレタン樹脂の粉塵及びガラス長繊維の粉塵を集塵できる集塵装置及び集塵装置付きドリルを提供する。【解決手段】集塵装置は、ドリル１の錐１３が挿通する貫通孔２１Ａを有し、穿孔中に発生する粉塵を吸入する吸入部２１と、吸入部２１の貫通孔２１Ａと連通し、かつ穿孔方向と並行に延びる中空パイプであって吸入部で吸入された粉塵が中空内部を通過するガイドパイプ２２と、ガイドパイプ２２に沿ってスライド可能で、ドリル１のハンドル１４が取り付けられるハンドル取付部２３とを有する吸引アダプター２と、吸入部２１及びガイドパイプ２２を介して粉塵を集める背負い可能な集塵機とを備える。ドリル１がハンドル取付部２３と一体となってガイドパイプ２２に沿ってスライドし、吸入部２１の貫通孔２１Ａから垂下した錐１３がマクラギを穿孔する。【選択図】図２
0003149377.tif 000002
【実用新案登録請求の範囲】
【請求項１】
使用者が穿孔中に把持するハンドルと、被穿孔材に穿孔を形成する錐を有するドリルに取り付けられる集塵装置であって、
錐が余裕をもって挿通する貫通孔を有しており、貫通孔の内壁から穿孔中に発生する粉塵を吸入する吸入部と、吸入部の貫通孔と連通し、かつ穿孔方向と並行に延びる中空パイプであって吸入部で吸入された粉塵が中空内部を通過するようになっているガイドパイプと、ガイドパイプに沿ってスライド可能で、ドリルのハンドルが取り付けられるハンドル取付部とを有する吸引アダプターと、吸入部及びガイドパイプを介して粉塵を集める背負い可能な集塵機とを備える集塵装置であり、
ドリルがハンドル取付部と一体となってガイドパイプに沿ってスライドし、吸入部の貫通孔から垂下した錐が被穿孔材を穿孔することを特徴とする集塵装置。
【請求項２】
吸引アダプターと集塵機とが可撓性のホースで連結されていることを特徴とする請求項１に記載の集塵装置。
【請求項３】
ガイドパイプには、ドリルと一体となってスライドするハンドル取付部のスライド範囲を制限することにより、ドリルの錐先位置を調整する錐先位置調整手段及び／又は穿孔の深さを調整する穿孔深さ調整手段が設けられていることを特徴とする請求項１又は２に記載の集塵装置。
【請求項４】
ハンドル取付部は、ドリルのハンドルが挿通される被挿通具と、ドリルのハンドルが被挿通具に挿通された状態でハンドルと被挿通具を固定する固定具とを有することを特徴とする請求項１乃至３のいずれかに記載の集塵装置。
【請求項５】
請求項１乃至４のいずれかに記載の集塵装置が取り付けられていることを特徴とする集塵装置付きドリル。
【請求項６】
集塵装置及びドリルは連動するようになっていることを特徴とする請求項５に記載の集塵装置付きドリル。
【考案の詳細な説明】
【技術分野】
【０００１】
本考案は、ドリルによる穿孔によって発生する粉塵を集める集塵装置及びその集塵装置付のドリルに関し、特に合成樹脂製のマクラギを穿孔する際に使用される集塵装置及びその集塵装置付のドリルに関する。
【背景技術】
【０００２】
近年、鉄道の線路で使用されるマクラギにおいて、寿命が短い、狂いが生じやすいなどの欠点があった木製のマクラギから、それらの欠点を解消できる合成樹脂製のマクラギが使用されるようになってきている。
【０００３】
合成樹脂製のマクラギは超硬ウレタン樹脂をガラス長繊維で強化した複合材料から作られている。マクラギはドリルによって穿孔され、犬釘によって地面等に固定されるようになっている。
【考案の概要】
【考案が解決しようとする課題】
【０００４】
例えば橋のマクラギ交換作業では、木を使用した場合は、穿孔粉塵を川に落としていた。木の粉塵は自然分解されるが、超硬ウレタン樹脂の粉塵及びガラス長繊維の粉塵は自然分解されることなく川の生態系及び川が流れ込む海の生態系に影響を及ぼす可能性があるという問題がある。さらに、超硬ウレタン樹脂の粉塵及びガラス長繊維の粉塵も集めて分別すればリサイクルできる可能性があるにもかかわらず、これまでは、空気中や川等に合成樹脂の粉塵やガラス繊維の粉塵が拡散してしまいリサイクルできなかったという問題もある。
【０００５】
また、合成樹脂のマクラギに穿孔すると超硬ウレタン樹脂の粉塵及びガラス長繊維の粉塵が発生し飛散する場合がある。特にガラス長繊維の粉塵は人体の皮膚の毛孔に浅く刺さることによって、皮膚がチクチクしたり、痒くなったりする。また、大量のガラス長繊維の粉塵が人体の内部に入り込んだ場合において、人体への悪影響を及ぼす可能性がないとは言い切れない。したがって、ドリルで穿孔する際に樹脂の粉塵及びガラス繊維の粉塵を集塵する必要があるが、ドリルで穿孔を担当する人員と、穿孔中に発生する粉塵を吸引する吸引ホース担当する人員が必要となり、作業効率が低下するという問題がある。
【０００６】
上記点より本考案は、合成樹脂製のマクラギを穿孔する際に発生する超硬ウレタン樹脂の粉塵及びガラス長繊維の粉塵を集塵できる集塵装置及び集塵装置付きドリルを提供することを目的とする。
【課題を解決するための手段】
【０００７】
上記課題を解決するため、請求項１の集塵装置は、使用者が穿孔中に把持するハンドルと、被穿孔材に穿孔を形成する錐を有するドリルに取り付けられる集塵装置であって、錐が余裕をもって挿通する貫通孔を有しており、貫通孔の内壁から穿孔中に発生する粉塵を吸入する吸入部と、吸入部の貫通孔と連通し、かつ穿孔方向と並行に延びる中空パイプであって吸入部で吸入された粉塵が中空内部を通過するようになっているガイドパイプと、ガイドパイプに沿ってスライド可能で、ドリルのハンドルが取り付けられるハンドル取付部とを有する吸引アダプターと、吸入部及びガイドパイプを介して粉塵を集める背負い可能な集塵機とを備える集塵装置であり、ドリルがハンドル取付部と一体となってガイドパイプに沿ってスライドし、吸入部の貫通孔から垂下した錐が被穿孔材を穿孔するようになっている。
【０００８】
請求項２の集塵装置は、吸引アダプターと集塵機とが可撓性のホースで連結されている。
【０００９】
請求項３の集塵装置は、ガイドパイプには、ドリルと一体となってスライドするハンドル取付部のスライド範囲を制限することにより、ドリルの錐先位置を調整する錐先位置調整手段及び／又は穿孔の深さを調整する穿孔深さ調整手段が設けられている。
【００１０】
請求項４の集塵装置は、ハンドル取付部がドリルのハンドルが挿通される被挿通具と、ドリルのハンドルが被挿通具に挿通された状態でハンドルと被挿通具を固定する固定具とを有する。
【００１１】
請求項５の集塵装置付きドリルは、請求項１乃至４のいずれかに記載の集塵装置が取り付けられているようになっている。
【００１２】
請求項６の集塵装置付きドリルは、集塵装置及びドリルが連動するようになっている。
【考案の効果】
【００１３】
請求項１の集塵装置によれば、集塵機は、吸入部及びガイドパイプを介して、合成樹脂製のマクラギを穿孔する際に発生する超硬ウレタン樹脂の粉塵及びガラス長繊維の粉塵が拡散することなく集塵できるので、環境に悪影響を及ぼすことがない上に集塵した超硬ウレタン樹脂の粉塵及びガラス長繊維の粉塵をリサイクルすることができる。
【００１４】
また、吸引アダプターをドリルに取り付けて、集塵装置を背負えるので、人員一人でドリルによる穿孔すると同時に集塵装置で超硬ウレタン樹脂の粉塵及びガラス長繊維の粉塵を集塵することができ、作業効率が向上する。
【００１５】
また、ハンドル取付部がドリルのハンドルに取り付けられ、ドリルとハンドル取付部とが一体となって錐の穿孔方向と並行に延びるガイドパイプに沿ってスライドするので、ドリルがぶれることなく穿孔することができる。
【００１６】
さらに吸入部は錐が余裕をもって挿通する貫通孔を有しているので、穿孔する際に吸入部が錐の一部を常に被覆し安全性を向上させることができる。
【００１７】
請求項２の集塵装置によれば、吸引アダプターと集塵機とが可撓性のホースで連結されていることによって、使用者は集塵機を背負っていても、ドリル及び吸引アダプターを容易に動かすことができる。
【００１８】
請求項３の集塵装置によれば、錐先位置調整手段が設けられていることによって、ハンドルから錐の先端までの長さが異なる複数のドリルに取り付けることが可能である。さらに、長さが異なる錐をドリル１に取り付けても、錐先位置調整を容易に行うことができる。錐先位置調整を行うことによって、合成樹脂製のマクラギを穿孔する際に発生する超硬ウレタン樹脂の粉塵及びガラス長繊維の粉塵が拡散することなく集塵できる。
【００１９】
また、穿孔深さ調整手段が設けられていることによって、所定の深さの穿孔が形成することができる。
【００２０】
請求項４の集塵装置によれば、ハンドル取付部がドリルのハンドルが挿通される被挿通具と、ドリルのハンドルが被挿通具に挿通された状態でハンドルと被挿通具を固定する固定具を有することによって、ハンドルとハンドル取付部との固定・解除を行うことができる。これにより、ドリルへの集塵装置の取り付け及びドリルから集塵装置の取り外しを容易に行うことができるので、ドリルと集塵装置の運搬スペース及び保管スペースを小さくすることができる。
【００２１】
請求項５の集塵装置付きドリルによれば、集塵装置付きドリルは、請求項１乃至４いずれかの効果を得ることができる。
【００２２】
請求項６の集塵装置付きドリルによれば、集塵装置及びドリルは連動するようになっていることによって、ドリルを作動させると自動的に集塵装置が集塵を開始し、作業効率を向上させることができる。
【図面の簡単な説明】
【００２３】
【図１】本考案の一実施形態である集塵装置付きドリル１の使用状態を示す斜視図である。
【図２】集塵装置付きドリル１の斜視図である。
【図３】吸引アダプター２の斜視図である。
【考案を実施するための形態】
【００２４】
以下、本考案の一実施形態について図面に基づいて説明する。図１は、本考案の一実施形態である集塵装置付きドリル１の使用状態を示す斜視図である。図２は、集塵装置付きドリル１の斜視図である。図３は吸引アダプター２の斜視図である。
【００２５】
本考案の集塵装置付きドリル１は、被穿孔物である合成樹脂製のマクラギ６を穿孔するドリル１と、ドリル１に取り付けられる吸引アダプター２と、使用者が背負う集塵機４と、吸引アダプター２と集塵機４とを連結するホース３とを有する集塵装置とを備える。
【００２６】
集塵機４は、吸引アダプター２を介して、合成樹脂製のマクラギ６を穿孔する際に発生する超硬ウレタン樹脂の粉塵及びガラス長繊維の粉塵が拡散することなく集塵できるので、環境に悪影響を及ぼすことない上に集塵した超硬ウレタン樹脂の粉塵及びガラス長繊維の粉塵をリサイクルすることができる。
【００２７】
また、吸引アダプター２はドリル１に取り付けられるので、図１に示すように、人員一人でドリル１による穿孔すると同時に集塵装置で超硬ウレタン樹脂の粉塵及びガラス長繊維の粉塵を集塵することができ、作業効率が向上する。
【００２８】
図２に示すように、ドリル１は、ドリルチャック１２を有するドリル本体１１とドリルチャック１２に固定される錐１３と、ドリル本体１１から錐１３の先行方向に対して略直角方向に延出する２本のハンドル１４、１５と、ハンドル１５の先端から延出する電源コード１６とから構成されている。
【００２９】
本実施形態では、ハンドル１４及びハンドル１５は、それぞれドリル本体１１の側面において、対向する位置から延出している。ハンドル１４は横断面が略円のパイプからなる。ハンドル１５には、ドリルチャック１２及び錐１３を作動させるスイッチ（図示せず）が設けられている。
【００３０】
本実施形態では、図２及び図３に示すように、吸引アダプター２は、錐１３が余裕をもって挿通する貫通孔２１Ａを有しており、貫通孔２１Ａの内壁から穿孔中に発生する粉塵を吸入する吸入部２１と、吸入部２１の貫通孔２１Ａと連通し、かつ穿孔方向と並行に延びる中空パイプであって吸入部２１で吸入された粉塵が中空内部を通過するようになっているガイドパイプ２２と、ガイドパイプ２２に沿ってスライド可能で、ドリル１のハンドル１４が取り付けられるハンドル取付部２３とを有する。またガイドパイプ２２の上端にはホース３の連結方向を変えることができる、側面視で略Ｌ字状の中空の接続パイプ２４が取り付けられている。
【００３１】
図３に示すように、吸入部２１は、穿孔方向と並行に形成された貫通孔２１Ａが形成された円筒部２１Ｂと円筒部２１Ｂの側周面から延出し、側面視で略Ｌ字状の中空の接続部２１Ｃとを有する。貫通孔２１Ａの内壁には、穿孔中に発生する粉塵を吸入する吸入孔（図示せず）が形成されており、この吸入孔は接続部２１Ｃの中空内部と連通している。
【００３２】
合成樹脂製のマクラギ６の穿孔面が平らである場合においては、吸引アダプター２と一体となったドリル１は、吸入部２１の円筒部２１Ｂの底面が合成樹脂製のマクラギ６の穿孔面に当接した状態で使用者５がハンドル１４、１５を把持しなくても自立するようになっている。これにより、使用者５がハンドル１４、１５を把持して、吸引アダプター２と一体となったドリル１のバランスをとる必要がないので、容易に穿孔作業を行うことができる。
【００３３】
ガイドパイプ２２は、横断面が略円形の中空パイプである。ガイドパイプ２２の中空内部は、前述の吸入部２１の接続部２１Ｃの中空内部と連通しており、吸入部２１で吸引された粉塵がガイドパイプ２２の中空内部を通過する。
【００３４】
図３に示すように、ハンドル取付部２３は、ガイドパイプ２２の側周面を覆い、ガイドパイプ２２に沿ってスライド可能なスライド円筒部２３Ａと、スライド円筒部２３Ａに外壁に固定されている固定板２３Ｂと、固定板２３Ｂを貫通している状態で固定板２３Ｂに固定されている略円筒形の被挿通具２３Ｃとを有する。図２に示すように被挿通具２３Ｃには、ドリル１のハンドル１４が挿通されるようになっている。
【００３５】
さらに、図２に示すようにハンドル取付部２３がドリル１のハンドル１４に取り付けられ、ドリル１とハンドル取付部２３とが一体となって錐１３の穿孔方向と並行に延びるガイドパイプ２２に沿ってスライドするので、ドリル１がぶれることなく穿孔することができる。
【００３６】
さらに、ハンドル取付部２３は、図２及び図３には図示していないが、ドリル１のハンドル１４が被挿通具２３Ｃに挿通された状態でハンドル１４と被挿通具２３Ｃを固定する固定具を有する。
【００３７】
ハンドル取付部２３がドリル１のハンドル１４が挿通される被挿通具２３Ｃと、ドリル１のハンドル１４が被挿通具２３Ｃに挿通された状態でハンドル１４と被挿通具２３Ｃを固定する固定具を有することによって、ハンドル１４とハンドル取付部２３との固定・解除を行うことができる。これにより、ドリル１への集塵装置の取り付け及びドリル１から集塵装置の取り外しを容易に行うことができるので、ドリル１及び集塵装置をそれぞれ取り外した状態で運搬及び保管することができる。
【００３８】
また、図２に示すようにハンドル取付部２３には、後述するストッパー２５のフック２５Ａに引っ掛けるための引掛具２３Ｄを備える。
【００３９】
ガイドパイプ２２のハンドル取付部２３と接続パイプ２４との間には、ドリル１の錐先位置を調整する錐先位置調整手段としてストッパー２５が設けられている。ストッパー２５はフック２５Ａを備えており、このフックにハンドル取付部２３の引掛具２３Ｄを引っ掛けると、ドリル１及びハンドル取付部２３が穿孔方向に動かないようにすることができる。
【００４０】
ストッパー２５はガイドパイプ２２に沿って動かして固定することができる。ストッパー２５の位置を調整し、そのストッパー２５のフック２５Ａにハンドル取付部２３の引掛具２３Ｄを引っ掛けることによって、ドリル１の錐先位置を調整することができるようになっている。
【００４１】
錐先位置調整手段であるストッパー２５が設けられていることによって、ハンドル１４から錐１３の先端までの長さが異なる複数のドリルに取り付けることが可能となる。また、長さが異なる錐をドリル１に取り付けても、錐先位置調整を容易に行うことができる。
【００４２】
また、ガイドパイプ２２のハンドル取付部２３と吸入部２１との間には、ドリル１の穿孔の深さを調整する穿孔深さ調整手段としてストッパー２６が設けられている。このストッパー２６がハンドル取付部２３のスライド限界となっている。ストッパー２６も、同様にガイドパイプ２２に沿って動かして固定することができ、穿孔の深さを調節することができるようになっている。
【００４３】
図１に示すように、本実施形態では、集塵機４は使用者５に背負われるようになっている。集塵機４には２本のストラップ４１、４１が設けられており、使用者はそれら２本のストラップ４１、４１をそれぞれ両肩にかけることにより容易に集塵機を背負うことができるようになっている。
【００４４】
さらに、図１に示すように、集塵機４にはウエストベルト４２が設けられている。ウエストベルト４２は使用者５の腰まわりに巻回されていることにより、背負われている集塵機４がぶれることを防止できる。また、本実施形態では、ドリル１のハンドル１５の先端から延出する電源コード１６の一部がウエストベルト４２に挟み込まれていることによって、電源コード１６がドリル１の錐に巻き込まれることを防止し穿孔作業の安全性を高めることができる
【００４５】
図１に示すように、本実施形態の集塵装置は、吸引アダプター２と集塵機４とが可撓性のホース３で連結されている。ホース３には吸引アダプター２の接続パイプ２４と連結するための連結具３１が取り付けられている。吸引アダプター２と集塵機４とが可撓性のホース３で連結されていることによって、使用者５は集塵機４を背負っていても、ドリル１及び吸引アダプター２を容易に動かすことができる。
【００４６】
本実施形態の集塵装置付きドリル１は、集塵装置及びドリル１が連動するようになっており、ドリル１のスイッチをオンにして作動させると、自動的に集塵機４のスイッチもオンになって吸引を開始するようになっている。これにより、作業効率を向上させることができる。
【００４７】
本実施形態では、電源コード１６の一部がウエストベルト４２に挟み込まれている場合について説明したが、これに限定されることなく、ドリル１の電源コード１６の一部がホース３に沿ってとりまわされていてもよい。電源コード１６の一部とホース３とが一体となっていることによっても、電源コードがドリルの錐に巻き込まれることを防止し、穿孔作業の安全性を高めることができる。
【００４８】
本実施形態では、ドリル本体１１から２本のハンドル１４、１５が延出する場合について説明したがこれに限定されることなく、ドリル本体から一本のハンドルが演出するドリルに本発明の集塵装置を取り付けてもよい。
【符号の説明】
【００４９】
１          ドリル
２          吸引アダプター
３          ホース
４          集塵機
５          使用者
６          マクラギ
１１        ドリル本体
１２        ドリルチャック
１３        錐
１４、１５  ハンドル
１６        電源コード
２１        吸入部
２１Ａ      貫通孔
２１Ｂ      円筒部
２１Ｃ      接続部
２２        ガイドパイプ
２３        ハンドル取付部
２３Ａ      スライド円筒部
２３Ｂ      固定板
２３Ｃ      被挿通具
２３Ｄ      引掛具
２４        接続パイプ
２５、２６  ストッパー
２５Ａ      フック
３１        連結具
４１        ストラップ
４２        ウエストベルト
【図１】
0003149377.tif 000003
【図２】
0003149377.tif 000004
【図３】
0003149377.tif 000005